(57)【要約】【課題】複数の筆記体を自由に選択して軸筒内に収容できると同時に、クリップの有無やクリップの種類を自由に選択して使用でき、しかも、操作体を容易に押圧操作でき、さらに、クリップの十分な挟持力が得られる多芯筆記具を提供する。【解決手段】軸筒２内に複数の筆記体６を前後方向に移動可能に収容する。各々の筆記体６の後端に操作体７を連結する。軸筒２の窓孔４１から径方向外方に操作体７を突出させる。操作体７を窓孔４１に沿って前方に押圧操作することにより、筆記体６のペン先６１を軸筒２の前端孔３１から出没させる。軸筒２の後端に、窓孔４１を後方に開口させる開閉自在の開口部４２を設ける。開口部４２を介して筆記体６及び操作体７を交換可能に構成する。軸筒２の後端部に、開口部４２を開閉自在とする蓋部５を設ける。軸筒２の外面にクリップを備えない。操作体７の外面にクリップ７１ａを設ける。【選択図】  図８
2011011338.tif 000002
【特許請求の範囲】
【請求項１】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体を突出させ、一つの操作体を窓孔に沿って前方に押圧操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方に押圧操作した操作体に連結された筆記体のペン先を軸筒の前端孔から突出させてなり、
前記軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在とする蓋部を設けた多芯筆記具であって、
前記軸筒の外面にクリップを備えないこと特徴とする多芯筆記具。
【請求項２】
少なくとも一つの筆記体の後端に連結された操作体の径方向外面にクリップを設け、前記筆記体を軸筒内に収容した際、前記クリップが窓孔から軸筒の外部に突出されるとともに、前記クリップが筆記体及び操作体の前後方向の移動に伴い前後方向に移動可能に構成される請求項１記載の多芯筆記具。
【請求項３】
軸筒内に収容した全ての筆記体の後端に連結された操作体がクリップを備えない請求項１記載の多芯筆記具。
【発明の詳細な説明】
【技術分野】
【０００１】
本発明は、多芯筆記具に関する。詳細には、軸筒内に複数の筆記体を収容し、前記筆記体を軸筒の後端の開口部より交換可能にした多芯筆記具に関する。
【背景技術】
【０００２】
特許文献１には、軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させた多芯筆記具であって、軸筒の後端に、窓孔を後方に開口させる開閉自在の開口部を設け、前記開口部を介して筆記体及び操作体を、軸筒内から取り外し可能且つ軸筒内に挿入可能に構成した構造が開示されている。さらに、前記特許文献１には、軸筒（後軸）の側壁外面にクリップを設けることが記載されている。
【先行技術文献】
【特許文献】
【０００３】
【特許文献１】特開２００７−３８６３５号公報
【発明の概要】
【発明が解決しようとする課題】
【０００４】
前記従来の多芯筆記具は、軸筒の側壁外面にクリップを備えるため、ペンケース内にスムーズに収容できないおそれがあり、ペンケース等に収容して携帯するユーザーにとってクリップは不要である。
【０００５】
また、従来の多芯筆記具は、筆記体を自由に選択できるとしても、クリップを自由に選択することはできない。
【０００６】
さらに、前記従来の多芯筆記具は、クリップ近傍の操作体を前方に押圧操作する際、クリップが操作体の押圧操作の邪魔になり、操作体の容易な押圧操作を妨げることがある。
【０００７】
その上、前記従来の多芯筆記具は、軸筒の窓孔の数（即ち軸筒内に収容する筆記体の数）が多くなるに従い窓孔間の側壁が細くなり、それにより、クリップと軸筒側壁との安定した接続が困難となり、クリップの十分な挟持力が得られないおそれがある。
【０００８】
本発明は、前記従来の問題点を解決するものであって、複数の筆記体を自由に選択して軸筒内に収容できると同時に、クリップの有無やクリップの種類を自由に選択して使用でき、しかも、操作体を容易に押圧操作でき、さらに、クリップの十分な挟持力が得られる多芯筆記具を提供しようとするものである。尚、本発明において、軸筒において、「前」とは前端孔側を指し、「後」とはその反対の開口部側を指し、筆記体において、「前」とはペン先側を指し、「後」とはその反対側を指す。
【課題を解決するための手段】
【０００９】
本願の第１の発明は、軸筒２内に複数の筆記体６を前後方向に移動可能に収容し、前記各々の筆記体６の後端に操作体７を連結し、前記各々の筆記体６及び操作体７を弾発体８により後方に付勢し、前記軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方に押圧操作することにより、その一つの操作体７を先にペン先突出状態にあった他の筆記体６の操作体７と当接させ、先にペン先突出状態にあった他の筆記体６の操作体７と軸筒２内壁との係止状態を解除し、先に突出状態にあった他の筆記体６のペン先６１を軸筒２内に没入させ、前記前方に押圧操作した操作体７に連結された筆記体６のペン先６１を軸筒２の前端孔３１から突出させてなり、前記軸筒２の後端に、窓孔４１を後方に開口させる開閉自在の開口部４２を設け、前記開口部４２を介して筆記体６及び操作体７を、軸筒２内から取り外し可能且つ軸筒２内に挿入可能に構成し、前記軸筒２の後端部に、前記開口部４２を開閉自在とする蓋部５を設けた多芯筆記具であって、前記軸筒２の外面にクリップを備えないことを要件とする。
【００１０】
前記第１の発明の多芯筆記具１は、軸筒２の外面にクリップを備えないことにより、複数の筆記体６及び操作体７を自由に選択して軸筒２内に収容できると同時に、クリップの有無やクリップの種類を自由に選択して使用できる。
【００１１】
前記第１の発明の多芯筆記具１は、クリップを備えない操作体７を選択して軸筒２内に収容することにより、クリップを備えない多芯筆記具を得ることができ、ペンケース内にスムーズに収容することができる（図６及び図７参照）。また、前記第１の発明の多芯筆記具１は、クリップを備えた操作体７を選択して軸筒２内に収容することにより、クリップを備えた多芯筆記具を得ることができる（図８及び図９参照）。また、前記第１の発明の多芯筆記具１は、種類の異なるクリップを備えた操作体７を用意することによって、クリップの種類を自由に選択することができる。
【００１２】
また、前記第１の発明の多芯筆記具１は、軸筒２の窓孔４１近傍の側壁外面（即ち操作体７の近傍）にクリップが存在しないため、いずれの操作体７も容易に前方に押圧操作することができる。
【００１３】
本願の第２の発明は、前記第１の発明の多芯筆記具１において、少なくとも一つの筆記体６の後端に連結された操作体７の径方向外面にクリップ７１ａを設け、前記筆記体６を軸筒２内に収容した際、前記クリップ７１ａが窓孔４１から軸筒２の外部に突出されるとともに、前記クリップ７１ａが筆記体６及び操作体７の前後方向の移動に伴い前後方向に移動可能に構成されることを要件とする（図８及び図９参照）。
【００１４】
前記第２の発明の多芯筆記具１は、クリップ７１ａを備えた操作体７を選択して軸筒２内に収容することにより、クリップ７１ａを備えた多芯筆記具を得ることができ、多芯筆記具を衣類のポケット等に収容して携帯するユーザーに便利となる。また、前記第２の発明の多芯筆記具１は、窓孔４１の数が多くなるに従い窓孔４１間の側壁が細くなっても、クリップ７１ａを操作体７の外面に設けるため、クリップの十分な挟持力が得られる。
【００１５】
本願の第３の発明は、前記第１の発明の多芯筆記具１において、軸筒２内に収容した全ての筆記体６の後端に連結された操作体７がクリップを備えないことを要件とする（図６及び図７参照）。
【００１６】
前記第３の発明の多芯筆記具１は、クリップを備えない操作体７を選択して軸筒２内に収容することにより、クリップを備えない多芯筆記具を得ることができ、多芯筆記具をペンケース等に収容して携帯するユーザーに便利となる。
【発明の効果】
【００１７】
本発明の多芯筆記具によれば、複数の筆記体を自由に選択して軸筒内に収容できると同時に、クリップの有無やクリップの種類を自由に選択して使用でき、しかも、操作体を容易に押圧操作できる。
【図面の簡単な説明】
【００１８】
【図１】本発明の実施の形態の軸筒の開口部を閉鎖させた状態の側面図である。
【図２】本発明の実施の形態の軸筒の開口部を開口させた状態の側面図である。
【図３】図１の縦断面図である。
【図４】本発明の実施の形態のクリップを備えない操作体及び筆記体の正面図である。
【図５】本発明の実施の形態のクリップを備えた操作体及び筆記体の正面図である。
【図６】本発明の実施の形態の全てクリップを備えない操作体を用いた場合における全ペン先没入状態を示す縦断面図である。
【図７】図６のペン先突出状態を示す縦断面図である。
【図８】本発明の実施の形態のクリップを備えた一つの操作体を用いた場合における全ペン先没入状態を示す縦断面図である。
【図９】図８のペン先突出状態を示す縦断面図である。
【発明を実施するための形態】
【００１９】
図１乃至図９に本発明の実施の形態を示す。
【００２０】
本実施の形態の多芯筆記具１は、軸筒２と、該軸筒２内に前後方向に移動可能に収容される複数本の筆記体６とからなる。
【００２１】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００２２】
前記後軸４の後部の側壁には、複数本（具体的には２本）の前後方向に延びる細長状の窓孔４１が、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００２３】
また、前記後軸４の窓孔４１の相互間の側壁内面には、前後方向に延びるリブよりなる係止壁部４３が形成され、前記係止壁部４３に、ペン先６１が突出した際の筆記体６の操作体７の後端が係止される。
【００２４】
前記後軸４の窓孔４１の相互間の側壁外面の後端部にはヒンジ部４５が形成される。
【００２５】
（蓋部）
前記後軸４の後端部には、前記開口部４２を開閉自在にする蓋部５が回動自在に設けられる。前記蓋部５は、開口部４２を塞ぐ蓋本体５１と、該蓋本体５１に連設される２本の脚片５２とからなる。前記蓋部５の脚片５２は、ヒンジ部４５により後軸４に回動自在に接続される。前記ヒンジ部４５の回動軸は、ペン先下向きでヒンジ部４５を正面視したときのヒンジ部４５の左右方向に延設され、それにより、前記蓋部５は、略前後方向に回動自在となる。
【００２６】
尚、本実施の形態では、ヒンジ部４５は、例えば、軸受け部の左右両側外方に開口する軸受け孔と、蓋部５の脚片５２の左右両側内方に突出する回動軸とからなる構成、または、軸受け部の左右両側外方に突出する回動軸と、蓋部５の脚片５２の左右両側内方に開口する軸受け孔とからなる構成が挙げられる。また、本実施の形態では、前記ヒンジ部４５は、回動軸により回動自在に接続される構成が採用されているが、これ以外にも、本発明は、屈曲変形可能な可撓性を有する連結部または薄肉部により一体に接続される構成であってもよい。
【００２７】
前記蓋部５（蓋本体５１）の前面には、当接壁部５３が形成される。前記当接壁部５３に、ペン先没入状態の筆記体６の後端に連結された各々の操作体７の後端が衝止される。
【００２８】
前記各々の筆記体６の後端には、操作体７が固着される。前記各々の筆記体６及び操作体７は、弾発体８（具体的には圧縮コイルスプリング）により後方に付勢されている。尚、本発明において、前記軸筒２内に移動可能に収容する筆記体６の本数は、２本以上であればよく、２本以外にも、３本、４本、５本、６本等であってもよい。
【００２９】
（係合部、被係合部）
前記蓋部５（蓋本体５１）の前面には、係合部５４が設けられる（具体的には係合凹部または係合孔部が形成される）。後軸４の後端には、前記係合部５４と係合可能な被係合部４４が設けられる（具体的には係合凸部が突設される）。前記係合部５４（係合凹部または係合孔部）の内面には、内向突起が形成され、一方、前記被係合部４４（係合凸部）の外面には、前記内向突起と乗り越え係止可能な外向突起が形成される。
【００３０】
前記係合部５４と前記被係合部４４は、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５３との当接では、その係合状態は解除されず、蓋部５が開くことはない。即ち、前記蓋部５による開口部４２の閉鎖状態において、係合部５４と被係合部４４との係合により、蓋部５の後方移動が阻止される。尚、前記係合部５４と被係合部４４の構成以外にも、前記係合部５４が係合凸部よりなり、前記被係合部４４が係合凹部または係合孔部からなる構成でもよい。尚、本発明で、蓋部５は、開口部４２を開閉自在とする構成であるなら、何れであってもよく、例えば、蓋部５が軸筒の開口部４２に螺合または嵌合により着脱自在に設けられる構成が挙げられる。
【００３１】
（筆記体）
前記各々の筆記体６は、例えば、ボールペンレフィル、シャープペンシルレフィル、サインペンレフィル、マーキングペンレフィル等、入力ペンレフィル（スタイラスペンレフィル）等の公知のペン先６１を備えたレフィルが挙げられる。
【００３２】
本実施の形態では、ボールペンレフィルが採用される（図４及び図５参照）。前記ボールペンレフィルは、ボールペンチップ（ペン先６１）と、該ボールペンチップを前端に備え且つ内部にインキが収容されたインキ収容管６２と、該インキ収容管６２の後端（即ちインキ収容管６２の後端開口部）に固着された操作体７とからなる。
【００３３】
（図４のレフィル）
図４に示すレフィルは、操作体７の外面にクリップを備えない。
図４に示すレフィルの各々の操作体７は、後端部に形成され且つ軸筒２の窓孔４１から外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００３４】
（図５のレフィル）
図５に示すレフィルは、操作体７の外面にクリップ７１ａを備える。
図５に示すレフィルの各々の操作体７は、後端部に形成され且つ軸筒２の窓孔４１から外部に突出する操作部７１と、該操作部７１から前方に延設されるクリップ７１ａと、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００３５】
尚、前記クリップ７１ａは、例えば、合成樹脂製の操作体の外面に合成樹脂製のクリップが一体に形成される構成、または合成樹脂製の操作体の外面に金属製のクリップを固着した構成が挙げられる。また、その他にも、前記クリップ７１ａは、操作体の外面に支点を中心にして開閉作動可能に設けられるとともに、板バネやコイルバネ等により閉鎖方向の弾発されるタイプが挙げられる。
【００３６】
図４、図５に示すレフィルを軸筒２内に収容した多芯筆記具１において、筆記体６のペン先６１が没入状態のとき、その筆記体６に取り付けられた操作体７の後端部は、蓋部５の前面に形成された当接壁部５３に衝止される。一方、筆記体６のペン先６１が突出状態のとき、その筆記体６に取り付けられた操作体７の後端部は、軸筒２の内壁に形成された係止壁部４３に係止される。また、図４、図５に示すレフィルを軸筒２内に収容した多芯筆記具１において、ペン先没入状態にある筆記体６の後端に連結された操作体７の前側突出部７２は、その操作体７の操作部７１を前方に移動させた際、先にペン先突出状態にある他の筆記体６の後端に連結された操作体７の後側突出部７３と当接され、他の筆記体６の後端に連結された操作体７と係止壁部４３との係止状態が解除され、他の筆記体６のペン先突出状態が解除される。
【００３７】
（弾発体支持部）
軸筒２の内壁（即ち後軸４の内壁）には、円筒状の弾発体支持部９が固着される。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。前記弾発体８により、筆記体６及び操作体７が後方に付勢される。
【００３８】
（図６及び図７）
図６及び図７に、本発明の実施の形態の全てクリップを備えない操作体７を用いた場合を示す。図６は全ペン先没入状態を示し、図７は、ペン先突出状態を示す。
【００３９】
図６及び図７に示す多芯筆記具１は、全てクリップを備えない操作体７を選択して軸筒２内に収容することにより、クリップを備えない多芯筆記具を得ることができ、ペンケース内にスムーズに収容することができる。それにより、多芯筆記具をペンケース等に収容して携帯するユーザーに便利となる。
【００４０】
（図８及び図９）
図８及び図９に、本発明の実施の形態のクリップ７１ａを備えた一つの操作体７を用いた場合を示す。図６は全ペン先没入状態を示し、図７は、ペン先突出状態を示す。
【００４１】
図８及び図９に示す多芯筆記具１は、クリップ７１ａを備えた一つの操作体７と、クリップを備えない他の操作体７を選択して軸筒２内に収容することにより、クリップ７１ａを備えた多芯筆記具を得ることができ、多芯筆記具を衣類のポケット等に収容して携帯するユーザーに便利となる。また、図８及び図９に示す多芯筆記具１は、軸筒２の窓孔４１の数が多くなるに従い窓孔４１間の側壁が細くなっても、クリップ７１ａを操作体７の外面に設けるため、クリップの十分な挟持力が得られる。
【００４２】
（ペン先の出没）
本実施の形態におけるペン先６１の出没作動について説明する。
一つの操作体７の操作部７１を弾発体８の後方付勢に抗して窓孔４１に沿って前方に移動させると、その前方に移動させた操作体７の前側突出部７２が、先に突出状態にある他の筆記体６の操作部７１の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作部７１の後端が蓋部５の前面の当接壁部５３に当接衝止される。前記他の筆記体６のペン先６１の没入と同時に、前記前方に移動させた操作体７に連結された筆記体６のペン先６１が、軸筒２の前端孔３１より外部に突出されるとともに、前方に移動させた操作体７の後端が軸筒２内壁の係止壁部４３に係止され、そのペン先突出状態が維持される。
【００４３】
（筆記体及び操作体の交換）
本実施の形態における筆記体６及び操作体７の交換について説明する。
筆記体６を交換する際、蓋部５が軸筒２の後端の開口部４２を閉鎖した状態から、蓋部５のヒンジ部４５と反対側の操作端部を後方に押圧し、係合部５４と被係合部４４との係合を解除し、蓋部５を後方に回動させ、軸筒２の後端の開口部４２を開口する。前記開口部４２を開口させると、前記開口部４２から各々の操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５３に各々の操作体７を当接させ、各々の操作体７を前方に押圧しながら蓋部５を前方に回動させ、その後、係合部５４と被係合部４４とを係合させ、開口部４２を閉鎖する。これにより、筆記体６及び操作体７の交換作業が終了する。
【００４４】
（本実施の形態の作用）
本発明の実施の形態の多芯筆記具１は、軸筒２の外面にクリップを備えないことにより、複数の筆記体６及び操作体７を自由に選択して軸筒２内に収容できると同時に、クリップの有無やクリップの種類を自由に選択して使用できる。
【００４５】
本発明の実施の形態の多芯筆記具１は、クリップを備えない操作体７を選択して軸筒２内に収容することにより、クリップを備えない多芯筆記具を得ることができ、ペンケース内にスムーズに収容することができる。また、本発明の実施の形態の多芯筆記具１は、クリップ７１ａを備えた操作体７を選択して軸筒２内に収容することにより、クリップ７１ａを備えた多芯筆記具を得ることができる。また、本発明の実施の形態の多芯筆記具１は、種類の異なるクリップ７１ａを備えた操作体７を用意することによって、クリップ７１ａの種類を自由に選択することができる。
【００４６】
また、本発明の実施の形態の多芯筆記具１は、軸筒２の窓孔４１近傍の側壁外面（即ち操作体７の近傍）にクリップが存在しないため、いずれの操作体７も容易に前方に押圧操作することができる。
【符号の説明】
【００４７】
１  多芯筆記具
２  軸筒
３  前軸
３１  前端孔
４  後軸
４１  窓孔
４２  開口部
４３  係止壁部
４４  被係合部
４５  ヒンジ部
５  蓋部
５１  蓋本体
５２  脚片
５３  当接壁部
５４  係合部
６  筆記体
６１  ペン先
６２  インキ収容管
７  操作体
７１  操作部
７１ａ  クリップ
７２  前側突出部
７３  後側突出部
７４  嵌入部
７５  鍔部
８  弾発体
９  弾発体支持部
９１  内孔
【図１】
2011011338.tif 000003
【図２】
2011011338.tif 000004
【図３】
2011011338.tif 000005
【図４】
2011011338.tif 000006
【図５】
2011011338.tif 000007
【図６】
2011011338.tif 000008
【図７】
2011011338.tif 000009
【図８】
2011011338.tif 000010
【図９】
2011011338.tif 000011